(57)【要約】【課題】電力を効率よく利用することができ、画像投影部をより長時間使用することができる携帯電子機器を提供することを目的とする。【解決手段】画像を投影する画像投影部と、画像情報から画像投影部に投影する画像の信号を生成する画像信号生成部と、画像投影部による投影動作を制御する制御部と、制御部での制御に必要な情報を記憶する記憶部と、を有し、制御部は、前記画像情報に基づいて前記投影動作を停止するタイミングを設定すること、上記課題を解決する。【選択図】図１
2010230943.tif 000002
【特許請求の範囲】
【請求項１】
画像を投影する画像投影部と、
画像情報から前記画像投影部に投影する画像の信号を生成する画像信号生成部と、
前記画像投影部による投影動作を制御する制御部と、
前記制御部での制御に必要な情報を記憶する記憶部と、を有し、
前記制御部は、前記画像情報に基づいて前記投影動作を停止するタイミングを設定することを特徴とする携帯電子機器。
【請求項２】
前記制御部は、前記画像情報から再生時間に関する情報を検出したら、検出した再生時間経過後に前記投影動作を停止することを特徴とする請求項１に記載の携帯電子機器。
【請求項３】
前記記憶部は、前記画像情報の種類と強制投影時間とを対応付けた強制投影時間情報を記憶しており、
前記制御部は、前記画像情報から再生時間を検出できない場合は、前記記憶部から読み出した前記強制投影時間情報から前記強制投影時間を検出し、検出した前記強制投影時間を前記再生時間として設定し、前記再生時間経過後に前記投影動作を停止することを特徴とする請求項２に記載の携帯電子機器。
【請求項４】
前記強制投影時間は、所定の入力信号を検出してから時間として設定できることを特徴とする請求項３に記載の携帯電子機器。
【請求項５】
前記記憶部は、前記画像情報の種類と連続再生の可否とを対応付けた連続再生情報を記憶しており、
前記制御部は、前記画像情報から再生時間を検出できず、かつ、前記強制投影時間が設定されていない種類の前記画像情報である場合は、前記記憶部から読み出した前記連続再生情報に基づいて、前記画像情報の種類が連続再生可能な種類であるかを判定し、連続再生可能な種類である場合は、前記投影動作を停止する入力信号が入力されるまで画像を投影することを特徴とする請求項３または４に記載の携帯電子機器。
【請求項６】
前記制御部は、前記画像情報から再生時間を検出できず、かつ、前記強制投影時間が設定されていない種類の前記画像情報である場合は、前記記憶部から読み出した前記連続再生情報に基づいて、前記画像情報の種類が連続再生可能な種類であるかを判定し、連続再生可能な種類でない場合は、前記画像投影部からの画像の投影を行わないことを特徴とする請求項５に記載の携帯電子機器。
【請求項７】
前記制御部は、前記画像信号生成部で前記画像信号の生成に用いられる画像情報のデータ量に応じて再生時間を検出することを特徴とする請求項２から６のいずれか１項に記載の携帯電子機器。
【請求項８】
さらに、操作部を備え、
前記制御部は、前記画像情報から再生時間を検出できない場合は、操作者により前記操作部から入力された入力値に基づいて、前記再生時間を設定することを特徴とする請求項２に記載の携帯電子機器。
【請求項９】
前記制御部は、前記入力値に基づいた前記再生時間の設定を前記画像情報の投影開始前に行い、前記設定時に前記操作者から前記入力値の入力がない場合は、前記画像の投影を開始しないことを特徴とする請求項８に記載の携帯電子機器。
【請求項１０】
さらに、操作部を備え、
前記制御部は、前記画像情報から強制投影時間を検出できない場合は、操作者により前記操作部から入力された入力値に基づいて、前記強制投影時間を設定することを特徴とする請求項３に記載の携帯電子機器。
【請求項１１】
前記制御部は、前記入力値に基づいた前記強制投影時間の設定を前記画像情報の投影開始前に行い、前記設定時に前記操作者から前記入力値の入力がない場合は、前記画像の投影を開始しないことを特徴とする請求項１０に記載の携帯電子機器。
【発明の詳細な説明】
【技術分野】
【０００１】
本発明は、スクリーンや壁面に画像を投影する画像投影部を有する携帯電子機器に関する。
【背景技術】
【０００２】
従来から、壁面やスクリーンに画像を投影する装置としては、いわゆるプロジェクタがある。このプロジェクタは、商用電源から電力が供給され、所定位置に固定した状態で使用される、いわゆる据え置き型の装置が主流である。この据え置き型のプロジェクタは、固定した状態で、一定箇所の壁面やスクリーンに画像を投影させる。
【０００３】
これに対して、近年、プロジェクタとして、小型で持ち運びが容易な携帯型のプロジェクタが提案されている。例えば、特許文献１には、上キャビネットと、下キャビネットと、上キャビネットおよび下キャビネットを互いに回動可能に接続するヒンジ部とを備え、レンズと光源とを有するプロジェクタが搭載されたプロジェクタ機能付携帯端末が記載されている。
【０００４】
また、特許文献２には、投影データを投影する投影部と、当該端末の状態を検出する検知部と、前記検知部によって検出された状態に変化が生じたか否かを判断する動き判定部と、投影データを前記投影部に送る制御部と、を備え、前記制御部は、前記動き判定部が当該端末の状態に変化が生じたと判断したときには、投射する光量を制御する制御データを前記投影部に伝送することにより、光量を調節することができる投影機能付携帯通信端末が記載されている。
【先行技術文献】
【特許文献】
【０００５】
【特許文献１】特開２００７−９６５４２号公報
【特許文献２】特開２００７−２２８５５１号公報
【発明の概要】
【発明が解決しようとする課題】
【０００６】
ここで、プロジェクタは、壁面等に画像を投影できる程度の光を射出するため駆動に一定の電力が必要となる。そのため、コンセント等の外部電源が接続されていない状態、つまり充電できない状態で、携帯電子機器のプロジェクタを使用する場合は、内部のバッテリに蓄えられている電力分しかプロジェクタを使用することはできない。そのため、プロジェクタを使用できる時間には限りがある。
【０００７】
これに対して、特許文献２に記載の携帯通信端末は、端末の状態が変化したら、投影部から出力される光の光量を低減するまたは出力を停止することで、人間の目に直接光が入射する可能性を低くするための端末であるが、端末の状態が変化したら、プロジェクタから射出される光の光量を低減したり、光の射出を停止したりすることで、端末の状態が変化している間は、電力の消費を少なくすることができる。しかしながら、特許文献２に記載の携帯通信端末では、端末の状態が変化している間は、電力の消費を少なくすることができるが、その他の場合では電力の消費を少なくすることができ、プロジェクタを効率良く利用するには限界があった。
【０００８】
本発明は、上記に鑑みてなされたものであって、電力を効率よく利用することができ、プロジェクタ機能（画像投影部）をより長時間使用することができる携帯電子機器を提供することを目的とする。
【課題を解決するための手段】
【０００９】
本発明は、携帯電子機器であって、画像を投影する画像投影部と、画像情報から前記画像投影部に投影する画像の信号を生成する画像信号生成部と、前記画像投影部による投影動作を制御する制御部と、前記制御部での制御に必要な情報を記憶する記憶部と、を有し、前記制御部は、前記画像情報に基づいて前記投影動作を停止するタイミングを設定することを特徴とする。
【００１０】
ここで、前記制御部は、前記画像情報から再生時間に関する情報を検出したら、検出した再生時間経過後に前記投影動作を停止することが好ましい。
【００１１】
また、前記記憶部は、前記画像情報の種類と強制投影時間とを対応付けた強制投影時間情報を記憶しており、前記制御部は、前記画像情報から再生時間を検出できない場合は、前記記憶部から読み出した前記強制投影時間情報から前記強制投影時間を検出し、検出した前記強制投影時間を前記再生時間として設定し、前記再生時間経過後に前記投影動作を停止することが好ましい。
【００１２】
また、前記強制投影時間は、所定の入力信号を検出してから時間として設定できることが好ましい。
【００１３】
また、前記記憶部は、前記画像情報の種類と連続再生の可否とを対応付けた連続再生情報を記憶しており、前記制御部は、前記画像情報から再生時間を検出できず、かつ、前記強制投影時間が設定されていない種類の前記画像情報である場合は、前記記憶部から読み出した前記連続再生情報に基づいて、前記画像情報の種類が連続再生可能な種類であるかを判定し、連続再生可能な種類である場合は、前記投影動作を停止する入力信号が入力されるまで画像を投影することが好ましい。
【００１４】
また、前記制御部は、前記画像情報から再生時間を検出できず、かつ、前記強制投影時間が設定されていない種類の前記画像情報である場合は、前記記憶部から読み出した前記連続再生情報に基づいて、前記画像情報の種類が連続再生可能な種類であるかを判定し、連続再生可能な種類でない場合は、前記画像投影部からの画像の投影を行わないことが好ましい。
【００１５】
また、前記制御部は、前記画像信号生成部で前記画像信号の生成に用いられる情報のデータ量に応じて再生時間を検出することが好ましい。
【００１６】
さらに、操作部を備え、前記制御部は、前記画像情報から再生時間を検出できない場合は、操作者により前記操作部から入力された入力値に基づいて、前記再生時間を設定することが好ましい。
【００１７】
また、前記制御部は、前記入力値に基づいた前記再生時間の設定を前記画像情報の投影開始前に行い、前記設定時に前記操作者から前記入力値の入力がない場合は、前記画像の投影を開始しないことが好ましい。
【００１８】
さらに、操作部を備え、前記制御部は、前記画像情報から強制投影時間を検出できない場合は、操作者により前記操作部から入力された入力値に基づいて、前記強制投影時間を設定することが好ましい。
【００１９】
また、前記制御部は、前記入力値に基づいた前記強制投影時間の設定を前記画像情報の投影開始前に行い、前記設定時に前記操作者から前記入力値の入力がない場合は、前記画像の投影を開始しないことが好ましい。
【発明の効果】
【００２０】
本発明にかかる携帯電子機器は、画像投影部が投影する画像信号の元となる画像情報に応じて、画像投影部の投影動作を停止するタイミングを設定することで、不要な光の射出を低減することができる。これにより、電力を効率よく利用することができ、プロジェクタ機能（画像投影部）をより長時間使用することができるという効果を奏する。
【図面の簡単な説明】
【００２１】
【図１】図１は、携帯電子機器の一実施形態の概略構成を示す斜視図である。
【図２】図２は、図１に示す携帯電子機器の概略構成を示すブロック図である。
【図３】図３は、図１に示す携帯電子機器で画像を表示させている状態を示す説明図である。
【図４】図４は、プロジェクタの動作設定の一例を示す説明図である。
【図５】図５は、携帯電子機器の動作の一例を示すフロー図である。
【図６】図６は、携帯電子機器の動作の一例を示すフロー図である。
【発明を実施するための形態】
【００２２】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００２３】
まず、携帯電子機器の外観の構成を説明する。図１は、携帯電子機器の一実施形態の概略構成を示す斜視図である。携帯電子機器１０は、無線通信機能を備えた携帯電話機である。携帯電子機器１０は、１つの箱型形状の筐体１１の内部に各部が収納されたストレート形状の携帯電話機である。なお、本実施形態では、筐体１１を１つの箱型形状としたが、ヒンジで連結された２つの部材で構成した折りたたみ可能な筐体や、２つの部材をスライドさせる筐体としてもよい。また、３つ以上の部材を連結した筐体も用いることができる。
【００２４】
筐体１１には、表示部として、図１に示すディスプレイ１２が設けられる。ディスプレイ１２は、所定の画像として、携帯電子機器１０が受信を待機している状態のときに待ち受け画像を表示したり、携帯電子機器１０の操作を補助するために用いられるメニュー画像を表示したりする。
【００２５】
筐体１１には、通話相手の電話番号や、メール作成時等に文字を入力するための操作キー１３が複数設けられている。なお、操作キー１３は、携帯電子機器１０の操作部２８を構成する。また、筐体１１には、携帯電子機器１０の通話時に音声を受け取るマイク１５、携帯電子機器１０の通話時に音声を発するレシーバ１６が設けられる。
【００２６】
また、筐体１１の上面（一辺が、操作キー１３が設けられる面と接し、他の一辺が、専用キー１４が設けられている面と接している面）には、画像を投影するプロジェクタ３４の光射出部３４ａが設けられている。
【００２７】
図２は、図１に示す携帯電子機器の機能の概略構成を示すブロック図である。図２に示すように携帯電子機器１０は、制御部２２と、記憶部２４と、送受信部２６と、操作部２８と、音声処理部３０と、表示部３２と、プロジェクタ３４と、カメラ３６と、ワンセグチューナ３８と、を有する。
【００２８】
制御部２２は、ＣＰＵ（Central Processing Unit）等の携帯電子機器１０の全体的な動作を統括的に制御する処理部である。すなわち、携帯電子機器１０の各種の処理が、操作部２８の操作や携帯電子機器１０の記憶部２４に保存されるソフトウェアに応じて適切な手順で実行されるように、送受信部２６や、音声処理部３０や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００２９】
制御部２２は、記憶部２４に保存されているプログラム（例えば、オペレーティングシステムプログラム、アプリケーションプログラム等）に基づいて処理を実行する。制御部２２は、例えば、マイクロプロセッサユニット（ＭＰＵ：Micro Processor Unit）で構成され、前記ソフトウェアで指示された手順にしたがって上述した携帯電子機器１０の各種の処理を実行する。すなわち、制御部２２は、記憶部２４に保存されるオペレーティングシステムプログラムやアプリケーションプログラム等から命令コードを順次読み込んで処理を実行する。
【００３０】
制御部２２は、複数のアプリケーションプログラムを実行する機能を有する。制御部２２が実行するアプリケーションプログラムとしては、例えば、プロジェクタの駆動を制御するアプリケーションプログラム、カメラの駆動を制御するカメラアプリケーションプログラム、ワンセグチューナ３８を介して受信したＴＶ番組を再生するＴＶアプリケーションプログラム、静止画や動画を再生する画像再生アプリケーションプログラム、各種ゲームを作動させるゲームアプリケーションプログラム等の複数のアプリケーションプログラムがある。
【００３１】
記憶部２４には、制御部２２での処理に利用されるソフトウェアやデータが保存されており、上述した、プロジェクタの駆動を制御するアプリケーションプログラムを作動させるタスクや、カメラの駆動を制御するカメラアプリケーションプログラムを作動させるタスク、ワンセグチューナ３８を介して受信したＴＶ番組を再生するＴＶアプリケーションプログラムを作動させるタスク、静止画や動画を再生する画像再生アプリケーションプログラムを作動させるタスク、各種ゲームアプリケーションプログラムを作動させるタスクが保存されている。
【００３２】
また、記憶部２４には、これらのタスク以外にも、例えば、通信、ダウンロードされた音声データ、あるいは記憶部２４に対する制御に制御部２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、制御部２２によって記憶部２４に割り当てられた作業領域へ一時的に保存される。記憶部２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３３】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００３４】
操作部２８は、例えば、電源キー、通話キー、数字キー、文字キー、方向キー、決定キー、発信キーなど、各種の機能が割り当てられた操作キー１３と専用キー１４とで構成され、これらのキーがユーザの操作により入力されると、その操作内容に対応する信号を発生させる。そして、発生した信号は、ユーザの指示として制御部２２へ入力される。
【００３５】
音声処理部３０は、マイク１５に入力される音声信号やレシーバ１６から出力される音声信号の処理を実行する。すなわち、音声処理部３０は、マイク１５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６へ出力する。
【００３６】
表示部３２は、液晶ディスプレイ（ＬＣＤ、Liquid Crystal Display）や、有機ＥＬ（Organic  Electro−Luminescence）パネルなどで構成された表示パネル（上述したディスプレイ１２等）を備え、制御部２２から供給される映像データに応じた映像、画像データに応じた画像を表示パネルに表示させる。なお、表示部３２は、ディスプレイ１２に加え、例えば、筐体を閉じた状態でも外部に露出している位置にサブディスプレイを設けてもよい。
【００３７】
プロジェクタ３４は、画像を投影する画像投影機構であり、上述したように、筐体１１の上面に画像を投影する光射出部３４ａが設けられている。ここで、図３は、図１に示す携帯電子機器で画像を表示させている状態を示す説明図である。携帯電子機器１０は、プロジェクタ３４の光射出部３４ａから画像を投影する、つまり画像を構成する光を射出することで、図３に示すように、筐体１１の上面に対向する面にある壁面、スクリーン等のうち、一定の領域（投影領域）に画像を投影することができる。なお、プロジェクタ３４は、制御部２２により動作が制御され、制御部２２から送られる種々の映像、例えば映画、プレゼンテーション資料を投影し、投影領域に表示させる。
【００３８】
プロジェクタ３４は、光源と、画像データに応じて、光源から射出された光を投影するか否かを切り換える光学系とで構成されている。例えば、プロジェクタ３４には、ハロゲンライトや、ＬＥＤ光源、ＬＤ光源を光源とし、ＬＣＤ（Liquid Crystal Display）や、ＤＭＤ（Digital Micro-mirror Device）を光学系とした構成のプロジェクタを用いることができる。この場合は、光学系を各画素に対応して投影領域の全面に配置し、光源から射出された光を画像に合わせて光学系をオンオフさせることで画像を投影領域の全面に投影させることができる。また、プロジェクタ３４には、レーザ光を光源とし、光源から射出された光を透過させるか否かを切り換える切り換え素子と、切り換え素子を通過した光をラスター走査させるミラーとで構成される光学系とした構成のプロジェクタを用いることもできる。この場合は、ミラーによってレーザ光から射出された光の角度を変えて、投影領域の全面に光源から照射された光を走査させることで、投影領域に画像を投影させることができる。
【００３９】
カメラ３６は、ＣＣＤ（Charge Coupled Device）イメージセンサ等で構成され画像を撮影する撮影機構である。カメラ３６で撮影された画像は、制御部２２で駆動されるアプリケーションプログラムにより処理され、表示部３２のディスプレイ１２に表示されたり、プロジェクタ３４により投影されたり、記憶部２４に記憶されたりする。
【００４０】
ワンセグチューナ３８は、複数のチャンネルを有する地上デジタル放送、本実施形態では、ワンセグ放送の所定チャンネルの電波を受信するＴＶアンテナ３８ａを有し、ＴＶアンテナ３８ａで受信した受信信号を処理し、制御部２２に送る。一例としては、ワンセグチューナ３８は、同調装置により、ＴＶアンテナ３８ａで受信した受信信号に増幅、検波、周波数変換などの信号処理を行い、デジタル信号、本実施形態では、ＭＰＥＧ−２  ＴＳ（Transport Stream）に変換して制御部２２に出力する。出力されたデジタル信号は、制御部２２で駆動されるアプリケーションプログラムにより、処理され、表示部３２のディスプレイ１２に表示されたり、プロジェクタ３４により投影されたり、記憶部２４に記憶されたりする。また、音声は、レシーバ１６や、別途も受けられたスピーカから出力される。携帯電子機器１０は、基本的に以上のような構成である。
【００４１】
次に、図４から図６を用いて携帯電子機器１０の画像表示投影動作、具体的には、制御部２２での処理動作及びプロジェクタ３４の制御動作について説明する。ここで、図４は、プロジェクタの動作設定の一例を示す説明図であり、図５は、携帯電子機器の動作の一例を示すフロー図であり、図６は、携帯電子機器の動作の一例を示すフロー図である。
【００４２】
プロジェクタを駆動させるアプリケーションプログラムであるプロジェクタタスクには、図４に示すように、画像信号を供給するコンテンツの種類に応じて、プロジェクタで投影する条件が設定されている。つまり、供給される画像信号の元データの種類毎に、投影する条件が設定されている。コンテンツ毎に、プロジェクタ投影設定の可否（オンオフ）、強制投影時間、常時投影許可の有無（オンオフ）が設定されている。ここで、本実施形態では、コンテンツとして、動画、静止画、フラッシュ（Flash）、スライドショー（または再生リスト）、ワンセグ、ストリーミング、カメラ、オフィス文書が例示されている。なお、ワンセグの画像、ストリーミングの画像は、動画でもあり、カメラの画像は、静止画、動画でもあり、オフィス文書の画像は、動画、静止画フラッシュの少なくとも１つでもあるが、制御条件として、コンテンツを特定するときの優先順位を予め決定おくことで、コンテンツの種類を選定することができる。例えば、静止画コンテンツであるか動画コンテンツであるかを判定する前にカメラコンテンツの画像であるかを判定することで、静止画であっても動画であっても、カメラコンテンツに対して設定された投影条件で制御部２２及びプロジェクタ３４による動作を処理することができる。
【００４３】
ここで、プロジェクタ投影設定の可否とは、コンテンツの画像をプロジェクタ３４により投影させるか否かを示す情報である。プロジェクタ３４から画像を投影できるコンテンツは、プロジェクタ投影設定がオン（ＯＮ）に設定され、プロジェクタ３４から画像を投影させないコンテンツは、プロジェクタ投影設定がオフ（ＯＦＦ）に設定されている。本実施形態では、図４に示すように、静止画、動画、フラッシュ、スライドショー、ワンセグ、ストリーミングは、プロジェクタ投影設定をオンとし、カメラ、オフィス文書は、プロジェクタ投影設定をオフとした。つまり、カメラの画像、オフィス文章の画像は、プロジェクタ３４から投影しない設定とした。
【００４４】
次に、強制投影時間とは、コンテンツの画像の投影時にコンテンツの再生時間（画像投影時間）が不明な場合に再生時間の設定に用いる時間である。ここで、強制投影時間には、時間の計測を開始するタイミングも設定することができる。例えば、操作部２８からの入力がなくなった時を計測開始時としても、画像の投影を計測開始時としてもよい。本実施形態では、静止画は、強制投影時間を１０秒とした。また、他のコンテンツについては、強制投影時間を設定していない。
【００４５】
次に、常時投影許可の可否とは、コンテンツにより表示される画像の再生時間が不明で、かつ強制投影時間が設定されていない場合に、画像をプロジェクタ３４から投影させるか否かを示す情報である。つまり、上記の場合でも画像を投影させるコンテンツは、常時投影許可がある、つまり設定がオン（ＯＮ）になっており、上記の場合でも画像を投影させないコンテンツは、常時投影許可がない、つまり設定がオフ（ＯＦＦ）になっている。本実施形態では、静止画、フラッシュ、スライドショー、ワンセグ、ストリーミングは、常時設定許可をオンとし、動画は、常時投影許可をオフとした。また、その他のコンテンツは、常時投影許可のオンオフを設定しなかった。なお、本実施形態では、ワンセグも上記設定許可をオンとしたが、ワンセグは、番組情報を取得することで番組の終了時間を取得できるため、番組単位で投影する設定とした場合は、基本的には再生時間を取得することができる。プロジェクタタスクには、以上のような、コンテンツ毎の条件（のテーブル）が記憶されている。
【００４６】
以下、図５及び図６を用いて、携帯電子機器の動作について説明する。具体的には、制御部２２で実行されるプロジェクタの駆動を制御するアプリケーションプログラムによるプロジェクタの制御について説明する。
【００４７】
まず、携帯電子機器１０は、ステップＳ１２として通常の動作を行っている。ここで、通常の動作とは、例えば、待ち受け画像の表示や、通話動作、カメラ画像、ワンセグチューナ３８により取得した番組をディスプレイ１２に表示させている等、プロジェクタ３４以外の機能が使用されている状態である。次に、操作者により携帯電子機器１０の操作キー１３等の操作部２８が操作され、プロジェクタ３４により画像を表示させる指示が入力される。制御部２２は、プロジェクタ３４により画像を表示させる指示が入力されたら、記憶部２４からプロジェクタの駆動を制御するアプリケーションプログラムを作動させるタスクを読み出し、プロジェクタの駆動を制御するアプリケーションプログラムを起動させる。制御部２２は、立ち上げたアプリケーションプログラムにより各種処理を行う。
【００４８】
まず、制御部２２は、ステップＳ１２としてプロジェクタ３４が使用可能かを判定する。制御部２２は、ステップＳ１２でプロジェクタ３４が使用できない（Ｎｏ）と判定したら、ステップＳ３２に進み、プロジェクタ３４が使用できる（Ｙｅｓ）と判定したら、ステップＳ１４に進む。ここで、プロジェクタ３４が使用できるか否かは、予め設定した条件に基づいて判定すればよい。例えば、マナーモード中はプロジェクタ３４を使用できないようする設定や、プロジェクタ３４が故障している場合は、使用できないようにする設定等がある。また、周辺の明るさの情報を取得する光センサを設け、一定以上の明るさの場合は外部環境がプロジェクタ３４の使用に不適であるとし、使用できないようにする設定にすることもできる。
【００４９】
制御部２２は、ステップＳ１２でプロジェクタ３４が使用可能と判定したら、ステップＳ１４として、再生コンテンツのプロジェクタ投影設定がＯＮであるかを判定する。つまり、制御部２２は、上述した図４に示すテーブルに基づいて、再生コンテンツ、即ちプロジェクタ３４により投影する予定の画像を生成したコンテンツが、プロジェクタ投影設定がＯＮとなっているコンテンツであるかを検出する。制御部２２は、ステップＳ１４でプロジェクタ投影設定がＯＮである（Ｙｅｓ）と検出したら、ステップＳ１６に進み、プロジェクタ投影設定がＯＦＦである（Ｎｏ）と判定したら、ステップＳ３２に進む。
【００５０】
制御部２２は、ステップＳ１４でプロジェクタ投影設定がＯＮであると判定したら、ステップＳ１６として、投影指示が入力されている画像の再生時間を取得する。例えば、画像信号を生成する画像情報に再生時間の情報が含まれていたら、その再生時間の情報から画像の再生時間を取得する。具体的には、ワンセグチューナ３８を介して取得したＴＶ番組を投影する場合は、ＴＶ番組の画像データ、音声データと共に供給されるデータ管理情報から番組の放映時間情報を取得し、そのＴＶ番組の放映時間情報と、現在の時刻に基づいてそのＴＶ番組を再生する時間を算出し、算出した時間を再生時間として取得する。またコンテンツによっては、上述したように、画像情報の容量に基づいて、再生時間を算出するようにすればよい。この再生時間の算出方法については、コンテンツ毎に設定すればよい。また、コンテンツ、画像情報によっては、繰り返し再生に設定されている場合や、再生時間が取得できないコンテンツもある。制御部２２は、ステップＳ１４で繰り返し再生が設定されていることを検出したら、繰り返し再生であると判定して、ステップＳ１６に進む。ステップＳ１４で再生時間が取得できなかったら、再生時間を不明と判定して、ステップＳ１６に進む。
【００５１】
制御部２２は、ステップＳ１６で再生時間を取得したら、また、繰り返し再生であるもしくは再生時間が不明であると判定したら、ステップＳ１８として、再生時間が不明もしくは繰り返し再生であるかを判定する。つまり、制御部２２は、再生時間が取得できたか、繰り返し再生であるもしくは再生時間が不明であったかを判定する。制御部２２は、ステップＳ１８で、再生時間が不明もしくは繰り返し再生である（Ｙｅｓ）と判定したら、ステップＳ２２に進み、再生時間が不明もしくは繰り返し再生ではない（Ｎｏ）と判定したらステップＳ２０に進む。
【００５２】
制御部２２は、ステップＳ１８で、再生時間が不明もしくは繰り返し再生ではない、つまり、再生時間が取得できたと判定したら、ステップＳ２０として、再生モードを通常再生モードと設定し、ステップＳ１６で取得した再生時間を再生時間にセットする。制御部２２は、その後ステップＳ３０に進む。
【００５３】
また、制御部２２は、ステップＳ１８で、再生時間が不明もしくは繰り返し再生であると判定したら、ステップＳ２２として、強制投影時間が設定されているかを判定する。つまり、制御部２２は、上述した図４に示すテーブルに基づいて、再生コンテンツが、強制投影時間が設定されているコンテンツであるかを判定する。制御部２２は、ステップＳ２２で強制投影時間が設定されているコンテンツである（Ｙｅｓ）と判定したら、ステップＳ２４に進み、強制投影時間が設定されていないコンテンツである（Ｎｏ）と判定したらステップＳ２６に進む。なお、図４に示すテーブルの場合は、再生コンテンツが静止画を表示させるコンテンツである場合のみステップＳ２４に進み、それ以外のコンテンツの場合は、ステップＳ２６に進む。
【００５４】
制御部２２は、ステップＳ２２で強制投影時間が設定されているコンテンツであると判定したら、ステップＳ２４として、再生モードを通常再生モードと設定し、テーブルに記憶されている強制投影時間を再生時間にセットする。制御部２２は、その後ステップＳ３０に進む。
【００５５】
また、制御部２２は、ステップＳ２２で強制投影時間が設定されていないコンテンツであると判定したら、ステップＳ２６として、連続再生が許可されているかを判定する。つまり、制御部２２は、上述した図４に示すテーブルに基づいて、再生コンテンツが、常時投影がＯＮに設定されているコンテンツであるかを判定する。制御部２２は、ステップＳ２６で連続再生が許可されている（Ｙｅｓ）、つまり、常時投影許可がＯＮであると判定したら、ステップＳ２８として、再生モードを連続再生モードに設定し、ステップＳ３０に進む。また、制御部２２は、ステップＳ２６で連続再生が許可されていない（Ｎｏ）、つまり、常時投影許可がＯＦＦであると判定したら、ステップＳ３２に進む。
【００５６】
また、制御部２２は、ステップＳ２０、ステップＳ２４、ステップＳ２８での処理が終了したら、ステップＳ３０として、投影先をプロジェクタ３４にセット（設定）し、各種条件の設定処理を終了する。その後、制御部２２は、図６に示すフロー図の制御を開始する。つまり、投影動作を開始する。
【００５７】
また、制御部２２は、ステップＳ１２、ステップＳ１４、ステップＳ２６の処理で、Ｎｏと判定されたら、ステップＳ３２として、投影先をディスプレイ１２にセット（設定）し、処置を終了する。具体的には、制御部２２は、ステップＳ３２で、投影指示があった画像は、プロジェクタ３４で投影することができない画像であると判定し、投影指示があった画像をプロジェクタ３４で投影せずにディスプレイ１２に投影し、図６に示すフロー図には進まない。つまりプロジェクタ３４には画像を投影させない。このとき、プロジェクタには投影できない画像であることを通知するメッセージを合わせて表示させるようにしてもよい。
【００５８】
次に、図６を用いて、図５のステップＳ３０で、プロジェクタ３４が投影先に設定された後の処理について説明する。まず、制御部２２は、ステップＳ４０で、再生開始かを判定する。具体的には、制御部２２は、ステップＳ３０でプロジェクタ３４が投影先として設定され、かつ、投影する画像が再生コンテンツによって投影可能状態となっており、再生を開始する指示があるかを判定する。制御部２２は、ステップＳ４０で再生開始と判定したらステップＳ４２に進み、再生開始ではないと判定したらステップＳ４４に進む。なお、後ほど説明するが、制御部２２はプロジェクタにより画像を投影している状態のときもステップＳ４０による判定を行う。そのため、制御部２２は、画像を投影している状態つまり再生している状態のときも、再生開始するかを判定するが、このときは、再生を開始する指示がないため、ステップＳ４４に進む。制御部２２は、ステップＳ４０で再生開始である（Ｙｅｓ）と判定したら、ステップＳ４２として、投影を開始し、その後、ステップＳ４０に進み、再生開始かを判定する。
【００５９】
また、制御部２２は、ステップＳ４０で再生開始である（Ｎｏ）と判定したら、ステップＳ４４として、再生停止かを判定する。具体的には、制御部２２は、操作者により再生停止の指示が入力されているかを判定する。制御部２２は、ステップＳ４４で再生停止である（Ｙｅｓ）と判定したらステップＳ５２に進み、再生停止ではない（Ｎｏ）と判定したら、ステップＳ４６に進む。
【００６０】
制御部２２は、ステップＳ４４で再生停止ではない（Ｎｏ）と判定したら、ステップＳ４６で再生中であるかを判定する。つまり、制御部２２は、プロジェクタ３４で画像を投影しているかを判定する。制御部２２は、ステップＳ４６で再生中ではない、つまり画像を投影していない（Ｎｏ）と判定したらステップＳ４０に進む。
【００６１】
また、制御部２２は、ステップＳ４６で再生中である（Ｙｅｓ）と判定したら、ステップＳ４８に進み、ステップＳ４８として通常再生モードであるかを判定する。つまり、制御部２２は、通常再生モードで再生を行っているか、連続再生モードで再生を行っているかを判定する。制御部２２は、ステップＳ４８で通常再生モードではない（Ｎｏ）つまり、連続再生モードであると判定したら、ステップＳ４０に進み、再生開始かを判定する。
【００６２】
また、制御部２２は、ステップＳ４８で通常再生モードである（Ｙｅｓ）と判定したら、ステップＳ５０に進み、ステップＳ５０として再生時間が経過したかを判定する。つまり、制御部２２は、画像を投影している時間が設定された再生時間を経過したかを判定する。制御部２２は、ステップＳ５０で再生時間が経過した（Ｙｅｓ）と判定したらステップＳ５２に進み、再生時間が経過していない（Ｎｏ）と判定したらステップＳ４０に進む。
【００６３】
制御部２２は、ステップＳ４４で再生停止ある（Ｙｅｓ）と判定したら、また、ステップＳ５０で再生時間が経過した（Ｙｅｓ）と判定したら、ステップＳ５２として投影を停止する。つまり、プロジェクタ３４による画像の投影を停止し、プロジェクタ３４から光を射出させない状態とする。
【００６４】
制御部２２は、ステップＳ５２で投影を停止したら、ステップＳ５４として、処理終了かを判定する。つまり、制御部２２は、プロジェクタ３４の駆動を停止する指示が入力されているかを判定する。制御部２２は、ステップＳ５４で、処理終了ではない（Ｎｏ）と判定したら、ステップＳ４０に進み、再生開始かを判定する。つまり、制御部２２は、終了指示を確認するまで、上記処理を繰り返す。
【００６５】
また、制御部２２は、ステップＳ５４で処理終了である（Ｙｅｓ）と判定したら、ステップＳ５６として、プロジェクタ３４の駆動を停止し、処理を終了する。また、制御部２２は、プロジェクタ３４の駆動を停止する際に、プロジェクタ３４で実行しているプロジェクタ３４の駆動を制御するアプリケーションプログラムも終了させる。携帯電子機器１０の動作は、基本的に以上である。
【００６６】
携帯電子機器１０のように、プロジェクタ３４で画像を投影しようとしているコンテンツを検出し、そのコンテンツに基づいてプロジェクタ３４による画像の投影の停止のタイミングを設定し、設定したタイミングでプロジェクタ３４を停止させて光射出部３４ａから光を射出させないようにすることで、プロジェクタ３４で不要な画像を投影することを抑制することができ、携帯電子機器１０の電力を効率よく利用することができる。つまり、不要な光の射出を抑制できることで、省電力で携帯電子機器１０を使用することができる。これにより、プロジェクタ３４を必要なときにより長い時間使用することができる。
【００６７】
具体的には、プロジェクタ３４により投影する画像の元となる画像情報から再生時間を検出し、その再生時間が経過したらプロジェクタ３４からの光の射出を停止することで、プロジェクタ３４で不要な画像を投影することを抑制することができ、携帯電子機器１０の電力を効率よく利用することができる。具体的には、再生時間が過ぎて画像信号がなくなった状態でプロジェクタ３４から光を射出することを抑制することができる。これにより、何の画像も表示されておらず、単に光のみを射出させている状態が発生する可能性を低減することができる。また、再生時間が不明な場合でも、強制投影時間を設定することで、画像が長時間投影されることを抑制することができ、この点でも電力を効率よく利用することができる。さらに、プロジェクタ３４での画像の投影が適さないコンテンツは、プロジェクタ３４で画像を投影できないようにすることでも、電力を効率よく利用することができる。
【００６８】
また、プロジェクタ３４から不要な光を射出させないことで、プロジェクタ３４から射出された光が直接人間の目に入り、まぶしい思いをさせてしまう可能性を低減することができる。このように、光が直接、人間の目に入る可能性を低減できることで、安全性を高くすることができる。
【００６９】
なお、プロジェクタ３４により投影する画像の画像信号は、制御部２２で実行される各種アプリケーションプログラムによって生成されたり、カメラ３６やワンセグチューナ３８に備えられた信号生成部により生成されたりする。つまり、制御部２２や、カメラ３６、ワンセグチューナ３８の一部が本発明の画像信号生成部となる。
【００７０】
ここで、上記実施形態での各コンテンツの処理条件、つまり図４に示すテーブルは、一例でありこれに限定はされない。例えば、オフィス文書もプロジェクタ投影設定をＯＮとして、プロジェクタで投影するようにしてもよいし、フラッシュ画像や、動画に対して強制投影時間を設定するようにしてもよい。また、コンテンツも図４に示すコンテンツのみに限定されず、別のコンテンツを増やしてもよい。また、不要なコンテンツは、削除してもよい。また、各コンテンツの処理条件は、操作者によってそれぞれ設定するようにしても、携帯電子機器の製造時に製造者によって設定するようにしてもよい。
【００７１】
また、上記実施形態では、再生時間及び強制投影時間を予め設定されている値としたが、本発明はこれに限定されない。例えば、再生時間が設定されていない、つまり、コンテンツの管理データから再生時間を検出できない場合は、操作者により再生時間を入力させるようにしてもよい。具体的には、上述の図５に示すフロー図のステップＳ１８において、再生時間が不明な場合は、ステップＳ２２の変わりに、再生時間を入力させるステップを設けるようにしてもよい。なお、再生時間の入力は、操作部２８操作キー１３の操作で入力させるようにすればよい。このように、設定状態によっては再生時間を操作者により設定させるようにすることで、制御部２２は、再生時間が不明なコンテンツの画像情報を照射する場合も設定された再生時間のみ、光を照射するように操作することができる。これにより、より効率よく電力を使用することができる。なお、操作者による再生時間の入力がない場合（入力が検出されない場合）は、プロジェクタ３４から画像の投影を行わない、つまり、投影を開始しないように設定することが好ましい。このように、再生時間が設定されない場合は、画像の投影を行わないことで画像が投影され続けることを防止でき、効率よく電力を使用することができる。なお、操作者による再生時間の入力がない場合は、入力されるまでプログラムを作動させていても、一定時間再生時間の入力がない場合は、タイムオーバーとしてプログラムの処理を終了するようにしてもよい。また、操作部からの入力による再生時間の設定は、プロジェクタ３４からの画像の投影を行う前に設定させるようにする。
【００７２】
また、強制投影時間も同様に、強制投影時間が設定されていない、つまり、強制投影時間を検出できない場合は、操作者により強制投影時間を入力させるようにしてもよい。具体的には、上述の図５に示すフロー図のステップＳ２２において、強制投影時間が設定されていない場合は、ステップＳ２６の変わりに、強制投影時間を入力させるステップを設けるようにしてもよい。なお、強制投影時間の入力方法は、再生時間の設定と同様の方法を用いればよい。このように、設定状態によっては強制投影時間を操作者により設定させるようにすることで、制御部２２は、強制投影時間が不明なコンテンツの画像情報を照射する場合も設定された時間のみ、光を照射するように操作することができる。これにより、より効率よく電力を使用することができる。なお、この場合も、操作者による強制投影時間の入力がない場合（入力が検出されない場合）は、プロジェクタ３４から画像の投影を行わない、つまり、投影を開始しないように設定することが好ましい。このように、強制投影時間が設定されない場合は、画像の投影を行わないことで画像が投影され続けることを防止でき、効率よく電力を使用することができる。なお、操作者による強制投影時間の入力がない場合は、入力されるまでプログラムを作動させていても、一定時間、強制投影時間の入力がない場合は、タイムオーバーとしてプログラムの処理を終了するようにしてもよい。また、操作部からの入力による強制投影時間の設定は、プロジェクタ３４からの画像の投影を行う前に設定させるようにする。
【産業上の利用可能性】
【００７３】
以上のように、本発明にかかる携帯電子機器は、省電力で画像を投影することに適している。
【符号の説明】
【００７４】
１０  携帯電子機器
１１  筐体
１２  ディスプレイ
１３  操作キー
１４  専用キー
１５  マイク
１６  レシーバ
２２  制御部
２４  記憶部
２６  送受信部
２６ａ  アンテナ
２８  操作部
３０  音声処理部
３２  表示部
３４  プロジェクタ
３４ａ  光射出部
３６  カメラ
３８  ワンセグチューナ
３８ａ  ＴＶアンテナ
【図１】
2010230943.tif 000003
【図２】
2010230943.tif 000004
【図３】
2010230943.tif 000005
【図４】
2010230943.tif 000006
【図５】
2010230943.tif 000007
【図６】
2010230943.tif 000008